(57)【要約】【課題】  労働効率を向上させることが可能な情報収集システムを提供する。【解決手段】  個人識別番号を少なくとも含む個人管理情報を出力する携帯情報端末４と、携帯情報端末４と第一通信手段を介して通信可能に設けられ、前記個人管理情報に基づく勤怠情報を記憶する情報収集端末３と、情報収集端末３に記憶した前記勤怠情報を第二通信手段を介して入力可能とするとともに第三通信手段を介して出力可能とするサーバー５と、サーバー５から前記勤怠情報を前記第三通信手段を介して収集し勤怠を管理する勤怠管理用端末６と、からなる情報収集システムＳにおいて、情報収集端末３を発電機１に設置し、かつ発電機１が発電した電力を供給されるものである。【選択図】図１
2018132878.tif 000002
【特許請求の範囲】
【請求項１】
個人識別番号を少なくとも含む個人管理情報を出力する携帯情報端末と、前記携帯情報端末と第一通信手段を介して通信可能に設けられ、前記個人管理情報に基づく勤怠情報を記憶する情報収集端末と、前記情報収集端末に記憶した前記勤怠情報を第二通信手段を介して入力可能とするとともに第三通信手段を介して出力可能とするサーバーと、前記サーバーから前記勤怠情報を前記第三通信手段を介して収集し勤怠を管理する勤怠管理用端末と、からなる情報収集システムにおいて、前記情報収集端末を発電機に設置し、かつ前記発電機が発電した電力を供給されることを特徴とする情報収集システム。
【請求項２】
勤怠管理用端末は前記勤怠情報に伴う作業計画を生成するとともに前記作業計画に基づく作業内容情報を前記第三通信手段を介して前記サーバーに出力し、前記サーバーは前記作業内容情報を記憶するとともに、前記作業内容情報を前記第二通信手段を介して前記情報収集端末に出力し、前記情報収集端末は前記作業内容情報を記憶するとともに前記作業内容情報を前記第一通信手段を介して前記携帯情報端末に出力し、前記携帯情報端末は前記作業内容情報を前記第一通信手段を介して前記情報収集端末から入力し記憶可能とすることを特徴とする請求項１に記載の情報収集システム。
【請求項３】
前記発電機は稼働情報と前記発電機の位置情報とを少なくとも含む発電機管理情報を管理するとともに前記情報収集端末と通信可能な発電機管理装置を有し、前記情報収集端末から前記サーバーを介して前記発電機管理情報を発電機管理用端末に出力可能とすることを特徴とする請求項１又は２に記載の情報収集システム。
【請求項４】
前記情報収集端末は前記発電機管理装置から前記発電機の起動許可の確認を受けたときに、前記個人管理情報と前記作業内容情報から前記発電機の起動許可又は不許可を行うことを特徴とする請求項３に記載の情報収集システム。
【請求項５】
前記情報収集端末は前記発電機の稼働状態に応じて前記サーバーとの通信間隔を変更することを特徴とする請求項１から４のいずれかに記載の情報収集システム。
【請求項６】
前記通信間隔は前記発電機の非稼働時より稼働時の通信間隔が短いことを特徴とする請求項５に記載の情報収集システム。
【請求項７】
前記情報収集端末は前記発電機が非稼働時には送信しないことを特徴とする請求項１から４のいずれかに記載の情報収集システム。
【発明の詳細な説明】
【技術分野】
【０００１】
本発明は、情報収集システムに関する。本発明は、特に、勤怠の情報を収集する情報収集システムに関する。
【背景技術】
【０００２】
従来の勤怠の情報を収集する情報収集システムは、勤怠データ入力端末と上位コンピュータとから成り、勤怠データ入力端末に、他の店等の応援先を特定する応援コード指定手段と、応援コードが指定されて個人識別用コードが入力されると、指定された出退区分に従って応援勤務データを作成し、応援コードが指定されずに個人識別用コードのみが入力されると、個人の勤怠データを作成する勤務データ作成手段を設けるものであった（特許文献１参照）。
【先行技術文献】
【特許文献】
【０００３】
【特許文献１】特開２００３−６６９２号公報
【発明の概要】
【発明が解決しようとする課題】
【０００４】
従来の情報収集システムでは、勤怠管理する場所と、労働場所とが離れている場合、労働者は直接労働場所に行けず、必ず施設に立ち寄り、労働場所に移動する必要があるため、労働効率の低下を招いてしまうという問題があった。
【０００５】
そこで、本発明は、前記問題点に着目し、労働効率を向上させることが可能な情報収集システムを提供することを目的とする。
【課題を解決するための手段】
【０００６】
上記目的を達成するため、本発明に係る情報収集システムは、個人識別番号を少なくとも含む個人管理情報を出力する携帯情報端末と、前記携帯情報端末と第一通信手段を介して通信可能に設けられ、前記個人管理情報に基づく勤怠情報を記憶する情報収集端末と、前記情報収集端末に記憶した前記勤怠情報を第二通信手段を介して入力可能とするとともに第三通信手段を介して出力可能とするサーバーと、前記サーバーから前記勤怠情報を前記第三通信手段を介して収集し勤怠を管理する勤怠管理用端末と、からなる情報収集システムにおいて、前記情報収集端末を発電機に設置し、かつ前記発電機が発電した電力を供給されることを特徴とする。
【発明の効果】
【０００７】
本発明によれば、労働効率を向上させることが可能な情報収集システムを提供することができる。
【図面の簡単な説明】
【０００８】
【図１】本発明の情報収集システムを示すブロック図。
【図２】同発明の情報収集システムの動作説明図。
【図３】同発明の情報収集システムの動作説明図。
【発明を実施するための形態】
【０００９】
以下に、本発明の実施形態に係る情報収集システムＳを添付図面に基づいて説明する。
【００１０】
本発明の情報収集システムＳは、図１に示すように、発電機１と、発電機管理装置２と、情報収集端末３と、携帯情報端末４と、サーバー５と、勤怠管理用端末６と、発電機管理用端末７と、から構成されている。
【００１１】
発電機１は、発電するエンジンなどの原動機であり、発電機１が設置される場所に必要な電力を供給するものである。なお、発電機１は、発電機管理装置２と情報収集端末３とＧＮＳＳ（Global Navigation Satellite System / 全球測位衛星システム）装置８とバス９とを備えている。また、発電機１は、発電機管理装置２と情報収集端末３とＧＮＳＳ装置８に電力を供給する。なお、発電機１は、図示しないバッテリーを備えており、発電機１が稼働していない場合は、このバッテリーが、発電機管理装置２と情報収集端末３とＧＮＳＳ装置８に電力を供給する。
【００１２】
発電機管理装置２は、発電機１に設置され、発電機１、あるいは、前記バッテリーの電力によって動作する。発電機管理装置２は、処理部２１と記憶部２２とを含む。処理部２１は、例えば、１又は複数のマイクロプロセッサ、マイクロコントローラ、ＡＳＩＣ（Application Specific Integrated Circuit）、ＦＰＧＡ（Field-Programmable Gate Array）、任意の他のＩＣ（Integrated Circuit）等を有する。記憶部２２は、例えば、書き換え可能なＲＡＭ（Random Access Memory）、読み出し専用のＲＯＭ（Read Only Memory）、消去可能なプログラム読み出し専用のＥＥＰＲＯＭ（Electrically Erasable Programmable Read-Only Memory）、不揮発性メモリであるフラッシュメモリ等のプログラム及び／又はデータを記憶可能な１又は複数のメモリを有する。
【００１３】
発電機管理装置２は、例えば、記憶部２２に記憶されているプログラムを処理部２１が実行することによって、発電機１の稼働情報を少なくとも含む発電機管理情報を管理する。前記発電機管理情報は、情報収集端末３とサーバー５を介して発電機管理用端末７に送信される。また、発電機管理装置２は、ＧＮＳＳ装置８からバス９を介して、例えば、発電機１の現在の位置情報を取得する。
【００１４】
前記発電機管理情報の稼働情報は、発電機１の稼働時間情報、振動情報、水温情報、残燃料情報、燃料消費情報、油圧情報、油温情報、排気温度情報、エンジン回転数情報、バッテリー電圧、発電量情報、故障コード情報、発電機管理装置２の識別番号、発電機１の識別番号などである。前記稼働情報は、これらの全てあるいは、いずれかを含んでいればよい。
【００１５】
情報収集端末３は、発電機１に設置され、発電機１、あるいは、前記バッテリーの電力によって動作する。情報収集端末３は、処理部３１と記憶部３２とを含む。処理部３１は、例えば、１又は複数のマイクロプロセッサ、マイクロコントローラ、ＡＳＩＣ（Application Specific Integrated Circuit）、ＦＰＧＡ（Field-Programmable Gate Array）、任意の他のＩＣ（Integrated Circuit）等を有する。記憶部３２は、例えば、書き換え可能なＲＡＭ（Random Access Memory）、読み出し専用のＲＯＭ（Read Only Memory）、消去可能なプログラム読み出し専用のＥＥＰＲＯＭ（Electrically Erasable Programmable Read-Only Memory）、不揮発性メモリであるフラッシュメモリ等のプログラム及び／又はデータを記憶可能な１又は複数のメモリを有する。
【００１６】
情報収集端末３は、例えば、記憶部３２に記憶されているプログラムを処理部３１が実行することによって、発電機管理装置２、携帯情報端末４、サーバー５と情報のやり取りを行う。情報収集端末３は、発電機管理装置２とはバス９によって接続されており、携帯情報端末４とは、近距離無線通信手段などの第一通信手段によって接続されており、サーバー５とは、公衆電話回線などの第二通信手段によって接続されている。
【００１７】
情報収集端末３は、発電機管理装置２から稼働情報を入手し記憶部３２に記憶する。また、携帯情報端末４と通信した際に、後述する個人管理情報に基づいて、出勤時間、退勤時間などの勤怠情報を記憶部３２に記憶する。情報収集端末３は、前記稼働情報と前記勤怠情報をサーバー５に出力する。なお、前記稼働情報は、サーバー５を経由し、発電機管理用端末７に送られ、前記勤怠情報は、サーバー５を経由し、勤怠管理用端末６に送られる。
【００１８】
情報収集端末３は、作業者が発電機１を発電機１を稼働する際に、エンジンスタートキーを操作すると、情報収集端末３は、発電機管理装置２から発電機１の起動許可の確認を受ける。そして、携帯情報端末４から得られた前記個人管理情報と後述する作業内容情報に基づいて発電機１の起動許可又は不許可を行う。
【００１９】
情報収集端末３は、発電機１の稼働状態、例えば、内燃機関であれば、イグニッション信号のオン・オフ状態に応じてサーバー５との通信間隔を変更することも可能である。この通信間隔は、発電機１の非稼働時より稼働時の通信間隔が短くする。例えば、発電機１が稼働している場合は、１５分間隔とし、発電機１が稼働していない場合は、１時間間隔としてもよい。
【００２０】
あるいは、情報収集端末３は、発電機１が非稼働時には通信、特に送信を行わないとしてもよい。
【００２１】
携帯情報端末４は、持ち運び可能な端末であり、内蔵するバッテリーの電力によって動作する。携帯情報端末４は、処理部４１と記憶部４２とを含む。処理部４１は、例えば、１又は複数のマイクロプロセッサ、マイクロコントローラ、ＡＳＩＣ（Application Specific Integrated Circuit）、ＦＰＧＡ（Field-Programmable Gate Array）、任意の他のＩＣ（Integrated Circuit）等を有する。記憶部４２は、例えば、書き換え可能なＲＡＭ（Random Access Memory）、読み出し専用のＲＯＭ（Read Only Memory）、消去可能なプログラム読み出し専用のＥＥＰＲＯＭ（Electrically Erasable Programmable Read-Only Memory）、不揮発性メモリであるフラッシュメモリ等のプログラム及び／又はデータを記憶可能な１又は複数のメモリを有する。
【００２２】
携帯情報端末４は、個人識別番号を少なくとも含む個人管理情報を記憶部４２に記憶している。この個人管理情報を前記第一通信手段を介して情報収集端末３に出力する。また、携帯情報端末４は、前記作業内容情報を前記第一通信手段を介して情報収集端末３から入力し記憶部４２に記憶する。
【００２３】
サーバー５は、処理部５１と記憶部５２とを含む。処理部５１は、例えば、１又は複数のマイクロプロセッサ、マイクロコントローラ、ＡＳＩＣ（Application Specific Integrated Circuit）、ＦＰＧＡ（Field-Programmable Gate Array）、任意の他のＩＣ（Integrated Circuit）等を有する。記憶部５２は、例えば、書き換え可能なＲＡＭ（Random Access Memory）、読み出し専用のＲＯＭ（Read Only Memory）、消去可能なプログラム読み出し専用のＥＥＰＲＯＭ（Electrically Erasable Programmable Read-Only Memory）、不揮発性メモリであるフラッシュメモリ等のプログラム及び／又はデータを記憶可能な１又は複数のメモリを有する。
【００２４】
サーバー５は、情報収集端末３と前記第二通信手段を介して通信可能に設けられ、また、勤怠管理用端末６と発電機管理用端末７とＬＡＮ（Local Area Network）などの第三通信手段を介して通信可能に設けられている。
【００２５】
サーバー５は、情報収集端末３に記憶した前記勤怠情報を前記第二通信手段を介して入力可能とするとともに前記第三通信手段を介して勤怠管理用端末６に出力可能とする。また、前記個人管理情報に基づく前記作業内容情報を、勤怠管理用端末６から入手し、あらかじめ記憶部５２に記憶する。そして、情報収集端末３に前記第二通信手段を介して出力可能である。
【００２６】
勤怠管理用端末６は、処理部６１と記憶部６２とを含む。処理部６１は、例えば、１又は複数のマイクロプロセッサ、マイクロコントローラ、ＡＳＩＣ（Application Specific Integrated Circuit）、ＦＰＧＡ（Field-Programmable Gate Array）、任意の他のＩＣ（Integrated Circuit）等を有する。記憶部６２は、例えば、書き換え可能なＲＡＭ（Random Access Memory）、読み出し専用のＲＯＭ（Read Only Memory）、消去可能なプログラム読み出し専用のＥＥＰＲＯＭ（Electrically Erasable Programmable Read-Only Memory）、不揮発性メモリであるフラッシュメモリ等のプログラム及び／又はデータを記憶可能な１又は複数のメモリを有する。
【００２７】
勤怠管理用端末６は、サーバー５より、前記勤怠情報と前記個人管理情報と前記位置情報の全てあるいは、いずれかを、前記第三通信手段を介して収集する。また、収集した前記勤怠情報に基づいて、勤怠を管理する。また、前記個人管理情報と前記位置に基づいて作業者に指示する作業内容情報を含んだ作業計画を生成し、少なくとも前記作業内容情報を前記第三通信手段を介して、サーバー５に出力する。
【００２８】
発電機管理用端末７は、処理部７１と記憶部７２とを含む。処理部７１は、例えば、１又は複数のマイクロプロセッサ、マイクロコントローラ、ＡＳＩＣ（Application Specific Integrated Circuit）、ＦＰＧＡ（Field-Programmable Gate Array）、任意の他のＩＣ（Integrated Circuit）等を有する。記憶部７２は、例えば、書き換え可能なＲＡＭ（Random Access Memory）、読み出し専用のＲＯＭ（Read Only Memory）、消去可能なプログラム読み出し専用のＥＥＰＲＯＭ（Electrically Erasable Programmable Read-Only Memory）、不揮発性メモリであるフラッシュメモリ等のプログラム及び／又はデータを記憶可能な１又は複数のメモリを有する。
【００２９】
発電機管理用端末７は、サーバー５より、前記位置情報と前記発電機管理情報を、前記第三通信手段を介して収集する。
【００３０】
以上の構成により、情報収集システムＳが構成される。
【００３１】
次に、情報収集システムＳの動作について、図２、３を用いて説明する。なお、図中の実線の矢印は、定期的な通信を示し、点線の矢印は、異常時の通信を示し、一点鎖線の通信は、任意のタイミングの通信を示す。
【００３２】
はじめに作業者が出勤時から始まる動作について、説明する。作業者が作業場に出勤し、発電機１に搭載した情報収集端末３に携帯情報端末４を近づけると、携帯情報端末４と情報収集端末３とが通信し、携帯情報端末４から情報収集端末３へ個人管理情報を出力する（Ｓ１０１）。情報収集端末３は、個人管理情報を受信すると、受信した個人管理情報と時刻情報とを含んだ勤怠情報として記憶部３２に記憶する。次に、情報収集端末３から携帯情報端末４へ作業内容情報を出力する（Ｓ１０２）。
【００３３】
次に、情報収集端末３とサーバー５とが一定周期で通信しており、サーバー５から情報収集端末３に作業計画と起動許可者情報が送信されている（Ｓ１０３）。なお、説明の都合上、動作Ｓ１０３は、動作Ｓ１０１と動作Ｓ１０２の後に記載しているが、通常の動作Ｓ１０３は、一定周期で通信を行っているので、動作Ｓ１０３は、動作Ｓ１０１、Ｓ１０２の前にも通信を行っており、このときに、動作Ｓ１０２で送信する作業内容情報を受信している。
【００３４】
動作Ｓ１０３の後、情報収集端末３からサーバー５に勤怠情報と発電機１の位置情報を送信する（Ｓ１０４−１）。
【００３５】
次に、作業者が、発電機１の原動機のイグニッションキーをオンすると、発電機管理装置２が情報収集端末３に起動許可確認を行う（Ｓ１０５）。情報収集端末３は、個人管理情報と起動許可者情報とから起動の可否を判断し、起動可能と判断した場合、発電機管理装置２に起動許可の信号を送る（Ｓ１０６）。発電機１が稼働すると、発電機管理装置２から情報収集端末３へ一定周期で、発電機１の稼働情報を送る（Ｓ１０７）。
【００３６】
動作Ｓ１０７の後、情報収集端末３からサーバー５に、勤怠情報と、発電機１の稼働情報に加えた位置情報からなる発電機管理情報を送信する（Ｓ１０４−２）。なお、発電機１が稼働中の場合、この動作Ｓ１０４−２は、１５分間隔で、情報収集端末３からサーバー５に送信される。
【００３７】
次に、サーバー５は、勤怠管理用端末６に情報収集端末３から受け取った勤怠情報、発電機管理情報を送信する（Ｓ１０８）。勤怠管理用端末６が、勤怠情報を受け取り、作業者の出勤を確認し、勤怠管理を行う。なお、勤怠管理用端末６では、勤怠情報と発電機管理情報から作業者の作業が作業計画外と判断した場合は、勤怠管理用端末６は、作業内容と異なる通知をサーバー５に送信する（Ｓ１１２）。
【００３８】
次に、作業者の退勤時の動作について、説明する。作業者が作業場を退勤する場合、発電機１に搭載した情報収集端末３に携帯情報端末４を近づけると、携帯情報端末４と情報収集端末３とが通信し、携帯情報端末４から情報収集端末３へ個人管理情報を出力する。そして、同時に、作業完了情報を出力する（Ｓ１０９）。情報収集端末３は、個人管理情報を受信すると、受信した個人管理情報と時刻情報とを含んだ勤怠情報と、作業完了情報を記憶部３２に記憶する。
【００３９】
次に、情報収集端末３とサーバー５とが一定周期で通信しており、情報収集端末３からサーバー５に、勤怠情報と発電機管理情報と作業完了情報を送信する（Ｓ１０４−３）。
【００４０】
次に、サーバー５は、勤怠管理用端末６に情報収集端末３から受け取った発電機管理情報（位置情報含）、勤怠情報、作業完了情報を送信する（Ｓ１１０）。勤怠管理用端末６が、勤怠情報を受け取り、作業者の出勤を確認し、勤怠管理を行う。また、勤怠管理用端末６は、作業完了情報を受けて、作業実績の作成と作業内容情報を含んだ作業計画を作成する。そして、勤怠管理用端末６は、作業計画作成後、作業内容情報と発電機１の起動許可者情報をサーバー５に送信する（Ｓ１１１）。
【００４１】
次に、作業者が、発電機１の原動機のイグニッションキーをオフすると、発電機１が停止すると、発電機管理装置２から情報収集端末３へ通信は停止する。
【００４２】
作業者が退勤し、かつ発電機１が停止すると、情報収集端末３からサーバー５に、位置情報のみを送信する（Ｓ１０４）。なお、発電機１が停止の場合、この動作Ｓ１０４は、１時間間隔で、情報収集端末３からサーバー５に送信される。なお、作業者の退勤情報を送信するまでは、情報収集端末３からサーバー５に、送信する間隔を１５分とし、退勤情報を送信した後は、１時間間隔としてもよい。あるいは、サーバー５から情報収集端末３への受信は受けるが、情報収集端末３からサーバー５への送信は、停止しても良い。
【００４３】
次に、発電機管理情報の通信に関する動作を説明する。情報収集端末３は、記憶部３２に記憶している発電機１の位置情報が、前回記憶した位置情報と異なる場合、位置情報とともに、位置異常の情報を情報収集端末３からサーバー５に送信し（Ｓ２０１）、さらに、サーバー５は、発電機管理用端末７に位置異常の情報を送信する（Ｓ２０２）。
【００４４】
また、情報収集端末３は、動作Ｓ２０３で、発電機管理装置２から送信される発電機管理情報が、異常の場合、情報収集端末３は、発電機管理情報をサーバー５に送信し（Ｓ２０４）、さらに、サーバー５は、発電機管理用端末７に位置異常の情報を送信する（Ｓ２０５）。
【００４５】
また、サーバー５は、任意のタイミングで、発電機管理用端末７に発電機管理情報を送信する（Ｓ２０６）。発電機管理用端末７は、この発電機管理情報を受けて、発電機１のメンテナンス計画を作成する。
【００４６】
従って、情報収集端末３は、発電機１に取り付けられ、動作に必要な電力も発電機１に基づく電力が供給される。これにより、直接労働場所に設置可能となり、作業者は勤怠管理を行う施設に立ち寄らずに勤怠管理を行えるため、労働効率を向上させることが可能となる。
【００４７】
また、勤怠管理用端末６は、勤怠管理に基づく作業計画を作成することが可能となる。
【００４８】
また、発電機１の前記位置情報を発電機管理用端末７に通知し、発電機管理用端末７が前記位置情報に前回の位置情報と差異を求め、この差異を盗難防止目的として使用してもよい。また、盗難防止目的として、作業者が誰も出勤していない状態や、発電機１の非稼働時に、位置の差異が発生した時にのみ、サーバー５は発電機管理用端末７に通知してもよい。この場合、前記位置情報の差異を情報収集端末３が求めて、サーバー５に通知すればよい。
【００４９】
また、発電機管理用端末７が、前記位置情報と前記発電機管理情報とを収集し、正確な使用状況を把握することができるため、適切なタイミングで消耗部品や油脂類、故障部品の交換指示が行えるため、労働効率が向上する。
【００５０】
発電機１の起動許可を管理者が勤怠管理用端末６上で行えるため、前記作業管理者は、作業現場に向かい発電機１の起動許可の指示を行わなくてよく、労働効率が向上する。
【００５１】
また、勤怠管理用端末６から作業計画や内容の指示を行えるので、前記作業管理者は、直接、作業現場に向かい作業計画や内容の指示を行わなくても、携帯情報端末４を介して作業計画や作業内容を指示できるため、作業効率が向上する。
【００５２】
情報収集端末３は、発電機１の原動機の稼働状態、例えば、内燃機関であれば、イグニッション信号のオン・オフ状態に基づいて、サーバー５との通信間隔を変更できるようにすることで、発電機１が稼働していない場合に、不要な通信データと送信するための前記バッテリーの電力を節約することができる。例えば、イグニッションオフ時には１時間おきで通信し、イグニッションオン時には１５分おきに通信する。又は、出勤している作業者がいる/いないという情報に基づいて通信間隔を変更してもよい。
【００５３】
情報収集端末３は、発電機１の非稼働時、例えば、原動機のイグニッション信号のオン・オフ情報に基づいて、発電機１が非稼働時には通信、特に、稼働情報などの送信を行わないとしてもよい。以上により、通信に伴う前記バッテリーの電力を節約することができる。
【産業上の利用可能性】
【００５４】
本発明は、情報収集システムに関し、勤怠管理が可能な情報収集システムとして好適である。
【符号の説明】
【００５５】
Ｓ・・・情報収集システム
１・・・発電機
２・・・発電機管理装置
３・・・情報収集装置
４・・・携帯情報端末
５・・・サーバー
６・・・勤怠管理用端末
７・・・発電機管理用端末
８・・・ＧＮＳＳ装置
【図１】
2018132878.tif 000003
【図２】
2018132878.tif 000004
【図３】
2018132878.tif 000005